(57)【要約】【課題】  消去プログラムによるデータ消去が実施されたか否かを簡便に把握できるようにすること。【解決手段】  コンピュータ端末１に着脱可能とされ、該コンピュータ端末の記憶装置の記憶データを再読み出し不能に消去するデータ消去プログラムを記憶するとともに、新たなデータを記憶可能とされたコンピュータ端末用記憶媒体２であって、データ消去プログラムは、装着されるコンピュータ端末１が備える記憶装置１５の記憶データを再読み出し不能に消去する消去ステップと、該消去ステップを実行したことを特定可能な消去履歴情報を、当該コンピュータ端末用記憶媒体２に記憶する消去履歴情報記憶ステップとを含む。【選択図】  図３
2006330886.tif 000002
【特許請求の範囲】
【請求項１】
利用者が操作可能なコンピュータ端末に着脱可能とされ、少なくとも該装着されたコンピュータ端末が備える記憶装置の記憶データを再読み出し不能に消去するためのデータ消去プログラムを読み出し可能に記憶するとともに、新たなデータを記憶可能とされたコンピュータ端末用記憶媒体であって、
前記データ消去プログラムは、
装着される前記コンピュータ端末において実行可能であって、該コンピュータ端末が備える記憶装置の記憶データを再読み出し不能に消去する消去ステップと、
該消去ステップを実行したことを特定可能な消去履歴情報を、当該コンピュータ端末に装着されているコンピュータ端末用記憶媒体に記憶する消去履歴情報記憶ステップとを含むことを特徴とするコンピュータ端末用記憶媒体。
【請求項２】
前記消去履歴情報として、前記消去ステップを実行した実行日時を少なくとも含むことを特徴とする請求項１に記載のコンピュータ端末用記憶媒体。
【請求項３】
前記データ消去プログラムは、
前記コンピュータ端末を特定可能な端末特定情報を取得する端末特定情報取得ステップと、
該取得した端末特定情報を当該コンピュータ端末に装着されているコンピュータ端末用記憶媒体に記憶する端末特定情報記憶ステップと、
を含むことを特徴とする請求項１または２に記載のコンピュータ端末用記憶媒体。
【請求項４】
前記コンピュータ端末が有する機器の名称またはこれら各機器の動作状況の少なくともいずれかを含む機器情報および／または前記消去履歴情報から成る消去時情報をデータ消去後の前記記憶装置に記憶する消去時情報記憶ステップを含むことを特徴とする請求項１〜３のいずれかに記載のコンピュータ端末用記憶媒体。
【請求項５】
前記データ消去プログラムは、
少なくとも前記消去時情報を読み出して前記コンピュータ端末にて表示出力させるための消去時情報出力プログラムを含み、
データ消去後の前記記憶装置に、前記コンピュータ端末の起動時において前記消去時情報出力プログラムが自動実行されるように該消去時情報出力プログラムを記憶する消去時情報出力プログラム記憶ステップを含むことを特徴とする請求項４に記載のコンピュータ端末用記憶媒体。
【請求項６】
前記コンピュータ端末が読み込み起動可能であって、且つ、前記データ消去プログラムを実行可能なオペレーティングシステムプログラムと、該オペレーティングシステムプログラムを前記コンピュータ端末に読み込み起動させるための起動用データとが記憶されていることを特徴とする請求項１〜５のいずれかに記載のコンピュータ端末用記憶媒体。
【請求項７】
前記オペレーティングシステムプログラムが読み込み起動されたときに、前記データ消去プログラムを自動実行させるための自動起動用データが記憶されていることを特徴とする請求項６に記載のコンピュータ端末用記憶媒体。
【請求項８】
前記コンピュータ端末用記憶媒体が、前記コンピュータ端末のＵＳＢインターフェイス部を通じて、該コンピュータ端末とのデータの送受を行うためのＵＳＢデータ通信部と、各種のデータを記憶するための不揮発性メモリとを備えるＵＳＢメモリであることを特徴とする請求項１〜７のいずれかに記載のコンピュータ端末用記憶媒体。
【発明の詳細な説明】
【技術分野】
【０００１】
本発明は、利用者の自宅や職場のパソコンやＰＤＡ等の情報端末における記憶装置に記憶されたデータの消去を行うためのデータ消去プログラムが読み出し可能に記憶されたコンピュータ端末用記憶媒体に関する。
【背景技術】
【０００２】
近年パソコンやその周辺機器の製品寿命が短くなるとともに、旧式となったこれらパソコンやその周辺機器の廃棄コストが問題となってきており、２００２年にはリサイクル法において、パソコンが規制の対象とされた。
【０００３】
一方、これらパソコンは一般にハードディスクなどの記憶装置を有しており、個人情報や、企業情報や、元来の所有者以外に利用が許諾されていないインストール済みのソフトウェア等の各種データが記憶されているが、パソコン上で起動しているオペレーティングシステムの機能により、各種データの削除や記憶装置のフォーマットを行った場合には、例えば、各種データの管理情報のみが削除され、実体情報が削除されない等、記憶装置に残存する情報に基づいて各種データの復元が可能とされている。
【０００４】
このようにパソコンの廃棄もしくは再利用の際には、パソコンに内蔵された記憶装置から、個人情報や、企業情報や、元来の所有者以外に利用が許諾されていないインストール済みのソフトウェア等の各種データが復元されて、漏洩してしまうという問題があり、特に、２００５年４月からは個人情報保護法が施行され、これら個人情報が外部に漏れないようにする責任が企業に課せられるなど、これら記憶されているデータが流出しないように消去する必要性が急速に高まってきている。
【０００５】
このような問題に対して、各種データの復元を可能とする情報が残存しないように、各種データを復元困難に削除する完全消去の機能を備えたデータ消去プログラムを記録した記録媒体を入手した利用者が、記憶装置から各種データを完全消去できるようにしたデータ消去システムがある（例えば、特許文献１、特許文献２参照）。
【０００６】
【特許文献１】特開２００１−３４４０７１号公報（第４頁、第１図）
【特許文献２】特開２００２−３１２１２８号公報（第４頁、第１図）
【発明の開示】
【発明が解決しようとする課題】
【０００７】
しかしながら、これら特許文献１に記載のシステムや特許文献１に記載の消去方法にあるように、データ消去プログラムを実行してハードディスクに記憶されている各種データを完全消去する場合、特には、社員や職員用に多数のパソコンを使用している企業や団体組織においては、これらハードディスクのデータを完全に消去したかを確認して廃棄や回収のために外部に出す必要があるが、これら機器を管理する管理者は、廃棄や回収のために外部に出すパソコンにおいてデータ消去プログラムによりデータの消去が実施されたか否かを確認するためには、これら廃棄や回収のために外部に出すパソコンにいちいち出向いて、確実にデータの消去されているかを確認しなければならず、これら確認の作業が煩雑となってしまうという問題があった。
【０００８】
本発明は、このような問題点に着目してなされたもので、パソコン等のコンピュータ端末において、データ消去プログラムによりデータの消去が実施されたか否かを簡便に把握することのできるコンピュータ端末用記憶媒体を提供することを目的としている。
【課題を解決するための手段】
【０００９】
上記の目的を解決するために、本発明の請求項１のコンピュータ端末用記憶媒体は、
利用者が操作可能なコンピュータ端末に着脱可能とされ、少なくとも該装着されたコンピュータ端末が備える記憶装置の記憶データを再読み出し不能に消去するためのデータ消去プログラムを読み出し可能に記憶するとともに、新たなデータを記憶可能とされたコンピュータ端末用記憶媒体であって、
前記データ消去プログラムは、
装着される前記コンピュータ端末において実行可能であって、該コンピュータ端末が備える記憶装置の記憶データを再読み出し不能に消去する消去ステップと、
該消去ステップを実行したことを特定可能な消去履歴情報を、当該コンピュータ端末に装着されているコンピュータ端末用記憶媒体に記憶する消去履歴情報記憶ステップとを含むことを特徴としている。
この特徴によれば、コンピュータ端末用記憶媒体を消去対象のコンピュータ端末に装着してデータ消去プログラムを実行することで、消去ステップによる消去が実施されたことを特定可能な消去履歴情報が当該コンピュータ端末用記憶媒体に記憶されるようになるので、コンピュータ端末の管理者は、コンピュータ端末用記憶媒体を回収して該回収されたコンピュータ端末用記憶媒体に記憶されている消去履歴情報を確認することで、いちいち消去対象のコンピュータ端末に出向いてデータ消去がなされていることを確認することなく、データ消去がなされたことを簡便に把握することができる。
【００１０】
本発明の請求項２のコンピュータ端末用記憶媒体は、請求項１に記載のコンピュータ端末用記憶媒体であって、
前記消去履歴情報として、前記消去ステップを実行した実行日時を少なくとも含むことを特徴としている。
この特徴によれば、管理者は、いつデータ消去が実施されたのかを正確に把握することができる。
【００１１】
本発明の請求項３のコンピュータ端末用記憶媒体は、請求項１または２に記載のコンピュータ端末用記憶媒体であって、
前記データ消去プログラムは、
前記コンピュータ端末を特定可能な端末特定情報を取得する端末特定情報取得ステップと、
該取得した端末特定情報を当該コンピュータ端末に装着されているコンピュータ端末用記憶媒体に記憶する端末特定情報記憶ステップと、
を含むことを特徴としている。
この特徴によれば、端末特定情報がコンピュータ端末用記憶媒体に記憶されることで、より正確に、データ消去が実施されたコンピュータ端末を特定することができる。
【００１２】
本発明の請求項４のコンピュータ端末用記憶媒体は、請求項１〜３のいずれかに記載のコンピュータ端末用記憶媒体であって、
前記コンピュータ端末が有する機器の名称またはこれら各機器の動作状況の少なくともいずれかを含む機器情報および／または前記消去履歴情報から成る消去時情報をデータ消去後の前記記憶装置に記憶する消去時情報記憶ステップを含むことを特徴としている。
この特徴によれば、記憶装置に消去時情報が記憶されているので、該消去時情報を読み出すことで、該コンピュータ端末の機器情報や消去履歴情報を簡便に入手することができるので、これら機器情報や消去履歴情報を確認するための手間を低減でき、よってデータ消去がなされたコンピュータ端末の再利用を促進できる。
【００１３】
本発明の請求項５のコンピュータ端末用記憶媒体は、請求項４に記載のコンピュータ端末用記憶媒体であって、
前記データ消去プログラムは、
少なくとも前記消去時情報を読み出して前記コンピュータ端末にて表示出力させるための消去時情報出力プログラムを含み、
データ消去後の前記記憶装置に、前記コンピュータ端末の起動時において前記消去時情報出力プログラムが自動実行されるように該消去時情報出力プログラムを記憶する消去時情報出力プログラム記憶ステップを含むことを特徴としている。
この特徴によれば、データ消去されたコンピュータ端末を起動すると、記憶装置に記憶されている消去時情報が自動的に表示出力されるので、これら消去時情報をより簡便に確認することができ、該データ消去されたコンピュータ端末の再利用を更に促進できる。
【００１４】
本発明の請求項６のコンピュータ端末用記憶媒体は、請求項１〜５のいずれかに記載のコンピュータ端末用記憶媒体であって、
前記コンピュータ端末が読み込み起動可能であって、且つ、前記データ消去プログラムを実行可能なオペレーティングシステムプログラムと、該オペレーティングシステムプログラムを前記コンピュータ端末に読み込み起動させるための起動用データとが記憶されていることを特徴としている。
この特徴によれば、例えば、消去対象のコンピュータ端末に、データ消去プログラムが実行不能なオペレーティングシステムプログラムが該に組み込まれていても、該コンピュータ端末用記憶媒体を装着してコンピュータ端末を起動することで該コンピュータ端末用記憶媒体に記憶されているオペレーティングシステムプログラムが読み込み起動されてデータ消去プログラムが実行可能となるので、各種のオペレーティングシステムプログラムに合わせたデータ消去プログラムを開発する必要がないばかりか、確実にデータ消去プログラムを実行させることができる。
【００１５】
本発明の請求項７のコンピュータ端末用記憶媒体は、請求項６に記載のコンピュータ端末用記憶媒体であって、
前記オペレーティングシステムプログラムが読み込み起動されたときに、前記データ消去プログラムを自動実行させるための自動起動用データが記憶されていることを特徴としている。
この特徴によれば、データ消去プログラムを自動実行されるので、利用者が該データ消去プログラムの起動操作を行う手間を省くことができる。
【００１６】
本発明の請求項８のコンピュータ端末用記憶媒体は、請求項１〜７のいずれかに記載のコンピュータ端末用記憶媒体であって、
前記コンピュータ端末用記憶媒体が、前記コンピュータ端末のＵＳＢインターフェイス部を通じて、該コンピュータ端末とのデータの送受を行うためのＵＳＢデータ通信部と、各種のデータを記憶するための不揮発性メモリとを備えるＵＳＢメモリであることを特徴としている。
この特徴によれば、近年におけるコンピュータ端末であるパソコンやノートパソコンには、これらＵＳＢインターフェイス部が、ほぼ全てに設けられており、非常に汎用性が高く、特別な機器を接続することなく本発明のコンピュータ端末用記憶媒体をコンピュータ端末にて使用することができるばかりか、ＵＳＢメモリが小型であるので可搬性にも優れており、これらコンピュータ端末用記憶媒体を管理者が容易に配布することもできる。
【発明を実施するための最良の形態】
【００１７】
本発明の実施例を以下に説明する。
【実施例】
【００１８】
図１は、本実施例のコンピュータ端末用記憶媒体であるＵＳＢメモリ２と該ＵＳＢメモリ２が装着されるコンピュータ端末となるノートパソコン１とを示す図である。
【００１９】
まず、本実施例に用いたノートパソコン１は、図２に示すように、コンピュータ内部にてデータの送受を行うデータバス１１に、後述する記憶装置１５に記憶されているオペレーティングシステムプログラム（ＯＳ）や、ＵＳＢメモリ２に記憶されているオペレーティングシステムプログラム（ＯＳ）並びに消去プログラムを実行するＣＰＵ１２、ワークメモリ等として使用されるＲＡＭ１３、キーボード７やマウス８が接続される操作入力部１４、ハードディスクドライブ（ＨＤＤ）から成る記憶装置１５、ディスプレイ６が接続され該ディスプレイ６に表示される表示画面の生成処理を行うグラフィックボード等から成る表示処理部１６、ＵＳＢメモリ２が装着されるコネクタやＵＳＢメモリ２とのデータの送受信を行う通信部とから成るＵＳＢインターフェイス部３が接続された通常のコンピュータである。
【００２０】
このノートパソコン１の前記ＵＳＢインターフェイス部３に接続されるＵＳＢメモリ２は、図１並びに図２に示すように、断面視四角棒状の記憶媒体であり、その内部には、不揮発性メモリであるフラッシュメモリ２２とともに、該フラッシュメモリ２２にローカルに接続された小型の制御マイコン２１とが搭載されている。
【００２１】
この制御マイコン２１内部には、内蔵する内部ＲＯＭに記憶されている制御プログラムに基づいてＵＳＢメモリ２の動作、具体的には、フラッシュメモリ２２からの読み出しや書き込み等制御するＣＰＵコア部と、装着されるノートパソコン１のＵＳＢインターフェイス部３との間においてデータの送受を実施するＵＳＢコントローラ部とが設けられている。
【００２２】
また、フラッシュメモリ２２には、装着されるノートパソコン１の記憶装置１５に記憶されている各種データを読み出し不可に消去する消去プログラムや、該消去プログラムが動作可能であるとともに、ＵＳＢメモリ２が装着されるノートパソコン１において実行可能であって、該ＵＳＢメモリ２からの読み出し起動（ブート起動）が可能とされたオペレーティングシステムプログラム（ＯＳ）や、該オペレーティングシステムプログラム（ＯＳ）が起動された際に自動実行される消去プログラムのファイル名が記述された自動実行ファイル（具体的にはＡＵＴＯＥＸＥＣ．ＢＡＴ）が記憶されている。
【００２３】
尚、本実施例では、ノートパソコン１としてＰＣ−ＡＴ互換機であるノートパソコンを用いており、ＵＳＢメモリ２からの読み出し起動（ブート起動）が可能とされたオペレーティングシステムプログラム（ＯＳ）として、ＵＳＢインターフェイス部３や記憶装置１５であるＨＤＤを認識することのできる最小構成とされたＭＳ−ＤＯＳシステム（米国、Microsoft社商品名）を好適に使用することができる。
【００２４】
尚、本実施例に用いたノートパソコン１は、搭載されているバイオスシステムがＵＳＢメモリ２からのブートに対応しており（ＵＳＢメモリ２を起動ディスクのメニューから選択可能）、これらノートパソコン１にてＵＳＢメモリ２からのブート起動を可能とするためには、ノートパソコン１のメーカー等から配布されているＵＳＢメモリ２からのブート起動を可能化するためのユーテリティプログラム、例えば、米国のＩＢＭ社が配布している「ＭＥＭＫＥＹＢＯＯＴ．ＥＸＥ」を実行して、ＵＳＢメモリ２を仮想ハードディスク化してブート可能なＵＳＢメモリ２とすれば良い。
【００２５】
以下、本実施例のＵＳＢメモリ２を使用して、ノートパソコン１の記憶装置１５の記憶データを消去する流れについて、図３に示すフロー図に基づいて説明する。
【００２６】
尚、以下における説明については、企業において機器を管理する管理者が、旧式となって廃棄するノートパソコン１のデータを消去する場合を例に説明する。
【００２７】
まず、管理者は、前述のようにしてブート起動を可能化されるとともに、ブートされるオペレーティングシステムプログラム（ＭＳ−ＤＯＳシステム（米国、Microsoft社商品名））と消去プログラムが記憶された本実施例のＵＳＢメモリ２を、廃棄するノートパソコン１の使用者に配布する。
【００２８】
このＵＳＢメモリ２の配布を受けた使用者は、該ＵＳＢメモリ２を消去対象のノートパソコン１のＵＳＢインターフェイス部３に装着した後、当該ノートパソコン１を起動または再起動する。
【００２９】
該起動の際において使用者は、バイオスプログラムによりＵＳＢメモリ２に割り当てられている読み出しの優先順位が低次であり、記憶装置１５であるＨＤＤに記憶されているオペレーティングシステムプログラムが起動されてしまう可能性がある場合には、所定操作を実施して、バイオスの設定を変更する変更プログラムを起動してＵＳＢメモリ２の読み出し優先順位を記憶装置１５であるＨＤＤよりも高次に変更設定した後、再起動する。尚、ノートパソコン１において、予めＵＳＢメモリ２に割り当てられている読み出しの優先順位が高次である場合にはこの限りではない。
【００３０】
このように、読み出しの優先順位が高次とされている場合には、起動または再起動によりＵＳＢメモリ２に記憶されているオペレーティングシステムプログラムが、該ＵＳＢメモリ２から読み出されて起動されるとともに、該ＵＳＢメモリ２に記憶されている自動実行ファイル、具体的にはＡＵＴＯＥＸＥＣ．ＢＡＴファイルが読み出されて、該ＡＵＴＯＥＸＥＣ．ＢＡＴファイルに記述されている消去プログラムが自動起動される。
【００３１】
この本実施例の消去プログラムにおいては、図３に示すように、まず、記憶装置１５であるＨＤＤが接続されているか否かを判定する（Ｓ１）。
【００３２】
該判定においてＨＤＤが接続されていない場合には、図示しないエラー画面を表示して処理を終了する一方、ＨＤＤが接続されている場合にはＳ２に進んで、図４に示す消去確認画面を表示して、消去の実行または非実行（キャンセル）を受付ける。
【００３３】
該消去確認画面にて非実行、具体的には「Ｎ」の入力がなされたときにはＳ３において「Ｎｏ」と判定されることで処理が終了される一方、消去確認画面にて実行、具体的には「Ｙ」の入力がなされたときには、Ｓ３において「Ｙｅｓ」と判定されることでＳ４に進み、その時点の日時と、ノートパソコン１の機種特定情報となる機種名と、記憶装置に記憶されているオペレーティングシステムプログラムの種別、チップセットや搭載されているメモリの容量、ＣＰＵタイプ、ＨＤＤのメーカー名や機種名、シリアル番号等の各種の情報を、バイオスプログラム等から取得し、該取得した各情報をメモリ１３に一次記憶する。つまり、該Ｓ４が本発明における端末特定情報取得ステップに該当する。
【００３４】
そしてＳ５に進み、消去対象のＨＤＤにおける全領域の完全消去を実施する。これら消去の方式は、公知の所定データの上書き等により記憶データを再読み出し不可とする方法を好適に使用することができ、本実施例では、ＨＤＤの全ての領域にまず「０」を上書きし、次いでＨＤＤの全ての領域に「０」を上書きすることで、完全消去を実施する。つまり、該Ｓ５が本発明における消去ステップに該当する。
【００３５】
これらＨＤＤの全領域の完全消去の完了はＳ６において検知されてＳ７に進み、Ｓ４において取得した各種の情報に基づき、消去を実施した日付と消去方式（「０」を上書きと「１」の上書きを１回ずつ）を含む消去履歴と、ノートパソコン１の機種名を機種特定情報として、更に、オペレーティングシステムプログラムの種別、チップセットや搭載されているメモリの容量、ＣＰＵタイプ、ＨＤＤのメーカー名や機種名、シリアル番号等の機器情報をＵＳＢメモリ２に記憶する。つまり、該Ｓ７が本発明における消去履歴情報記憶ステップ並びに端末特定情報記憶ステップに該当する。
【００３６】
そしてＳ８に進み、Ｓ５において完全消去したＨＤＤに、図５に示すように前述のＳ４において取得した各種の情報を含む消去時情報と、該消去時情報をノートパソコン１のディスプレイ６に表示出力させるための消去時情報表示出力プログラムを記憶した後、Ｓ９に進んで、該消去時情報表示出力プログラムをノートパソコン１の起動時において自動起動させるための起動用ファイルを、完全消去したＨＤＤの起動領域に記憶して処理を終了する。つまり、本実施例のＳ８が本発明における消去時情報記憶ステップに該当するとともに、本実施例のＳ８並びにＳ９が本発明における消去時情報出力プログラム記憶ステップに該当する。
【００３７】
そして、当該ノートパソコン１の使用者は、ノートパソコン１を終了させてＵＳＢメモリ２をＵＳＢインターフェイス部３から抜き取り、該抜き取ったＵＳＢメモリ２を管理者に返却することで、該返却を受けた管理者は、返却されたＵＳＢメモリ２に記憶されている消去履歴並びに機種特定情報としての機種名と機器情報とから、どのノートパソコン１がいつデータ消去されたのかとともに、該データ消去されたノートパソコン１が備える機器の内容や状況を、当該ノートパソコン１に出向くことなく、簡便に把握、管理することができる。
【００３８】
また、前述のように消去プログラムにより完全消去されたＨＤＤを備えるノートパソコン１を再度起動させた場合には、ＨＤＤの起動領域に記憶された起動用ファイルにより消去時情報表示出力プログラムが自動的に起動され、該消去時情報表示出力プログラムがＨＤＤに記憶されている消去時情報を読み出して図５に示すように、ノートパソコン１のディスプレイ６に表示出力するので、当該ノートパソコン１を再利用しようとする業者等は、ノートパソコン１を起動させるのみで、これら消去時情報を、ＨＤＤから読み出す特別な作業、例えばＨＤＤをノートパソコン１から取外して消去時情報を他のパソコンにて読み出す等の作業を実施することなく、非常に簡便に確認することができるので、該データ消去されたノートパソコン１の再利用を更に促進できる。
【００３９】
以上、本実施例によれば、コンピュータ端末用記憶媒体であるＵＳＢメモリ２を消去対象のノートパソコン１に装着し、再起動することで消去プログラムを実行することで、消去ステップとなるＳ５における完全消去が実施されたことを特定可能な消去履歴情報となる消去日時の情報がＵＳＢメモリ２に記憶されるようになるので、ノートパソコン１の管理者は、該ＵＳＢメモリ２を回収して該回収したＵＳＢメモリ２に記憶されている消去履歴情報を確認することで、いちいち消去対象のノートパソコン１に出向いてデータ消去がなされていることを確認することなく、データ消去がなされたことを簡便に把握することができる。
【００４０】
また、本実施例によれば、管理者は、消去履歴情報として消去日時の情報を含むことで、いつデータ消去が実施されたのかを正確に把握することができる。
【００４１】
また、本実施例によれば、端末特定情報としての機種名がＵＳＢメモリ２に記憶されることで、管理者は、データ消去が実施されたノートパソコン１をより正確に特定することができる。
【００４２】
また、本実施例によれば、記憶装置１５に消去時情報が記憶されているので、該消去時情報を読み出すことで、該ノートパソコン１の機器情報や消去履歴情報を、ノートパソコン１を分解して搭載されている機器を特定する等の手間を必要とせずに簡便に入手することができるので、これら機器情報や消去履歴情報を確認するための手間を低減でき、よってデータ消去がなされたノートパソコン１の再利用を促進できる。
【００４３】
また、本実施例によれば、データ消去されたノートパソコン１を起動すると、記憶装置１５に記憶されている消去時情報が自動的に表示出力されるので、これら消去時情報をより簡便に確認することができ、該データ消去されたノートパソコン１の再利用を更に促進できる。
【００４４】
また、本実施例によれば、消去対象のノートパソコン１に、消去プログラムが実行不能なオペレーティングシステムプログラムが該に組み込まれていても、本実施例のＵＳＢメモリ２を装着してノートパソコン１を起動することで該ＵＳＢメモリ２に記憶されているオペレーティングシステムプログラムが読み込み起動されて消去プログラムが実行可能となるので、各種のオペレーティングシステムプログラムに合わせたデータ消去プログラムを開発する必要がないばかりか、確実に消去プログラムを実行させることができる。
【００４５】
また、本実施例によれば、ＵＳＢメモリ２を装着してノートパソコン１を再起動することで、ブートされたオペレーティングシステムプログラム上において消去プログラムが自動実行されるので、利用者が該消去プログラムの起動操作を行う手間を省くことができる。
【００４６】
また、本実施例によれば、近年におけるコンピュータ端末であるパソコンやノートパソコン１には、これらＵＳＢインターフェイス部３がほぼ全てに設けられており、非常に汎用性が高く、特別な機器を接続することなくＵＳＢメモリ２をコンピュータ端末にて使用することができるばかりか、ＵＳＢメモリ２が小型であるので可搬性にも優れており、これらＵＳＢメモリ２を管理者が容易に配布することもできる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、記憶媒体としてＵＳＢメモリ２を使用しており、このようにすることは、前述したように、ＵＳＢインターフェイス部３がほぼ全てのコンピュータ端末であるパソコン等に設けられていおり、非常に汎用性が高く、該ＵＳＢメモリ２を使用できないものが非常に少ないとともに、ＵＳＢメモリ２の通信速度が向上して、データの転送に要する時間が短縮され、かつ、その記憶容量も多くなってきていることから好ましいが、本発明はこれに限定されるものではなく、これら記憶媒体としては、フレキシブルディスクや追記や再記憶が可能なＣＤ−Ｒ用のＣＤ−ＲＯＭとしても良いし、或いは携帯可能な光磁気ディスク（ＭＯディスク）としても良く、これら記憶媒体としては、使用するコンピュータ端末に応じて適宜に選択すれば良い。
【００４９】
また、前記実施例では、消去履歴情報として消去を行った消去日付を用いているが、本発明はこれに限定されるものではなく、これら消去履歴情報としては消去を実施したことを特定できるものであれば良く、例えば、消去により加算更新される消去回数等であっても良いし、消去を実施したことで特定のデータ、例えばライセンスキー等が消去されていることを示すデータであっても良い。
【００５０】
また、前記実施例では、端末特定情報として機種名と用いているが、本発明はこれに限定されるものではなく、これらの情報として、例えば、ノートパソコン１が企業のローカルエリアネットワークに接続されており、該ローカルエリアネットワークにて特定のアドレスが付与されている場合には、該ローカルエリアネットワーク上の特定のアドレスであっても良いし、或いは、ノートパソコン１にインストールされているオペレーティングシステムプログラム（ＯＳ）のライセンス番号であっても良い。
【００５１】
また、前記実施例では、データが完全消去された記憶装置１５であるＨＤＤに消去時情報を記憶するようにしているが、本発明はこれに限定されるものではなく、これら消去時情報を記憶しない構成としても良い。
【００５２】
また、前記実施例では、ＵＳＢメモリ２にブート起動用のオペレーティングシステムプログラムを記憶しているが、本発明はこれに限定されるものではなく、これらブート起動用のオペレーティングシステムプログラムを用いることなく、記憶装置１５であるＨＤＤに既にインストールされているオペレーティングシステムプログラム上において消去プログラムを実行させるようにしても良い。
【００５３】
また、前記実施例では、ブート起動時に消去プログラムが自動起動されるようにしているが、本発明はこれに限定されるものではなく、これら消去プログラムを使用者が、ファイル名を入力する等の所定の起動操作を実施することで起動するようにしても良い。
【００５４】
また、前記実施例では、使用者から消去の実行・非実行を受付け、該受付けにおいて実行を受付けることを条件として消去を実施するようにしているが、本発明はこれに限定されるものではなく、例えば、ノートパソコン１が企業のローカルエリアネットワークに接続されていたり、インターネット網等に接続されている場合には、これらネットワーク上に設けられた管理サーバにアクセスして、該管理サーバにてライセンスが確認されて消去の実施が許諾されたことを条件として消去を実施するようにしても良い。
【図面の簡単な説明】
【００５５】
【図１】本発明の実施例におけるＵＳＢメモリ２と該ＵＳＢメモリ２が装着されるノートパソコン１を示す図である。
【図２】本発明の実施例におけるＵＳＢメモリ２と該ＵＳＢメモリ２が装着されるノートパソコン１の構成を示すブロック図である。
【図３】本発明の実施例におけるＵＳＢメモリ２に記憶されている消去プログラムの処理内容を示すフロー図である。
【図４】本発明の実施例におけるノートパソコン１の表示内容を示す図である。
【図５】本発明の実施例におけるノートパソコン１の表示内容を示す図である。
【符号の説明】
【００５６】
１        ノートパソコン
２        ＵＳＢメモリ
３        ＵＳＢインターフェイス部
６        ディスプレイ
７        キーボード
８        マウス
１１      データバス
１２      ＣＰＵ
１３      ＲＡＭ
１４      操作入力部
１５      記憶装置
１６      表示処理部
２１      制御マイコン
２２      フラッシュメモリ
【図１】
2006330886.tif 000003
【図２】
2006330886.tif 000004
【図３】
2006330886.tif 000005
【図４】
2006330886.tif 000006
【図５】
2006330886.tif 000007